【事件の表示】
　特願２０１１−２１８３７９「レーザ切断装置用のベルト清掃システム」拒絶査定不服審判事件〔平成２４年　４月２６日出願公開、特開２０１２−　８２０７３〕について、次のとおり審決する。
【結　論】
　本件審判の請求は、成り立たない。
【理　由】
第１　手続の経緯
　本件出願は、平成２３年９月３０日（パリ条約による優先権主張２０１０年１０月１２日、アメリカ合衆国）の出願であって、平成２７年７月９日付けで拒絶理由が通知され、これに対して平成２７年９月１４日に意見書及び手続補正書が提出され、平成２８年２月８日付けで最後の拒絶理由が通知され、これに対して平成２８年４月６日に意見書及び手続補正書が提出されたが、平成２８年７月８日付けで平成２８年４月６日に提出された手続補正書による手続補正について補正の却下の決定がされ、同日付けで拒絶査定がされ、これに対して平成２８年１１月２２日に拒絶査定不服審判が請求され、その請求と同時に特許請求の範囲について補正する手続補正書が提出され、平成２９年５月１０日に上申書が提出されたものである。
第２　平成２８年１１月２２日付けの手続補正についての補正の却下の決定
［補正の却下の決定の結論］
　平成２８年１１月２２日付けの手続補正（以下、「本件補正」という。）を却下する。
［理由］
１　本件補正の内容
　本件補正は、特許請求の範囲に関して、本件補正により補正される前の（すなわち、平成２７年９月１４日に提出された手続補正書により補正された）下記の（１）に示す請求項２を、下記の（２）に示す請求項２とする補正を含むものである。
（１）本件補正前の特許請求の範囲の請求項２
「　【請求項２】
　レーザ切断装置におよびレーザ切断装置から紙製品を移送する搬送面を有するコンベヤベルトを清掃するベルト清掃システムであって、
　含水材料で構成された清掃ウェブと、
　前記清掃ウェブをコンベヤベルト搬送面に回動当接状態に付勢するローラと、を含み、それによって前記清掃ウェブが前記コンベヤベルト搬送面を実質連続的に清掃するローラアセンブリと、
　前記清掃ウェブに洗浄液体を供給する液体供給下位システムと、を備え、
　前記液体供給下位システムは、洗浄液体を収容するよう適合させた洗浄液体貯槽を含んでおり、前記清掃ウェブは近位端部分と遠位端部分とを有する連続ループであり、前記ローラは前記清掃ウェブループの近位端部分に配置され、前記清掃ウェブループの遠位端部分は前記洗浄液体貯槽内に配置され、
　前記ベルト清掃システムは、更に、
　前記洗浄液体貯槽内の前記洗浄液体の液位を検出する液位検出器と、
　前記検出された液位が所定の液位に達した場合に、前記洗浄液体が前記洗浄液体貯槽に流入されるように制御する制御部と、を備える、
　ベルト清掃システム。」
（２）本件補正後の特許請求の範囲の請求項２
「　【請求項２】
　レーザ切断装置におよびレーザ切断装置から紙製品を移送する搬送面を有するコンベヤベルトを清掃するベルト清掃システムであって、
　含水材料で構成された清掃ウェブと、
　前記清掃ウェブをコンベヤベルト搬送面に回動当接状態に付勢するローラと、を含み、それによって、
前記コンベヤベルト搬送面がレーザ照射領域に到達する前に、
　前記清掃ウェブに洗浄液体を供給する液体供給下位システムと、を備え、
　前記液体供給下位システムは、洗浄液体を収容するよう適合させた洗浄液体貯槽を含んでおり、前記清掃ウェブは近位端部分と遠位端部分とを有する連続ループであり、前記ローラは前記清掃ウェブループの近位端部分に配置され、前記清掃ウェブループの遠位端部分は前記洗浄液体貯槽内に配置され、
　前記液体供給下位システムは、更に、
　前記洗浄液体貯槽の外部に設けられ、洗浄液体から紙屑を除去するフィルタと、
　前記洗浄液体貯槽と前記フィルタとに接続され、前記洗浄液体貯槽内の洗浄液体を前記フィルタに送り、前記フィルタから前記洗浄液体貯槽内に洗浄液体を戻すための循環経路と、
　前記循環経路を介して前記洗浄液体貯槽と前記フィルタとの間で洗浄液体を循環させるポンプと、
　を有し、
　前記ベルト清掃システムは、更に、
　前記洗浄液体貯槽内
の洗
　前記検出された液位が所定の液位に達した場合に
、洗
　ベルト清掃システム。」
（なお、下線は、請求人が補正箇所を明示するために付したものである。）
２　本件補正の目的要件について
　本件補正は、本件補正前の請求項２における発明特定事項である「ローラアセンブリ」における「前記清掃ウェブが前記コンベヤベルト搬送面を実質連続的に清掃する」動作について、「前記コンベヤベルト搬送面がレーザ照射領域に到達する前に」との事項を付加することにより、時機を限定するものである。
　また、本件補正は、本件補正前の請求項２における発明特定事項である「液体供給下位システム」について、「前記液体供給下位システムは、更に、
　前記洗浄液体貯槽の外部に設けられ、洗浄液体から紙屑を除去するフィルタと、
　前記洗浄液体貯槽と前記フィルタとに接続され、前記洗浄液体貯槽内の洗浄液体を前記フィルタに送り、前記フィルタから前記洗浄液体貯槽内に洗浄液体を戻すための循環経路と、
　前記循環経路を介して前記洗浄液体貯槽と前記フィルタとの間で洗浄液体を循環させるポンプと、
　を有し」との事項を付加することにより、構成を限定するものである。
　そして、本件補正後の請求項２に記載される発明は、本件補正前の請求項２に記載された発明の解決しようとする従来手法の「機械を稼働させたまま手あるいは機械的に起動される掻き落としブレードを用いて定期的にベルトを清掃するもの」が有する「清掃の間に紙屑が堆積し、ベルトがたわみ、粘着性となり、書類を取り除くのが困難となる。掻き落とした場合、１）紙屑がブレードの掻き落とし端に堆積し、ブレードの効能を低下させ、２）ブレードがベルトを引っ掻き、汚染物の除去をより困難とし、３）移送ベルトのたわみ領域にブレードがアクセスできない。手で清掃した場合、洗浄溶液と紙屑が共に真空引き孔を介して吸引され、ベルトの下側に移動し、そのことが片や駆動上の問題とより多くのベルト欠陥を引き起こすことがある。」との課題（本件出願の明細書の段落【０００３】及び【０００４】）を同じく解決しようとするものである。
　よって、特許請求の範囲の請求項２についての本件補正は、本件補正前の特許請求の範囲の請求項２に係る発明の発明特定事項を限定したものであって、本件補正前の請求項２に記載された発明と本件補正後の請求項２に記載される発明の産業上の利用分野及び解決しようとする課題が同一であるから、本件補正は、特許法第１７条の２第５項第２号に規定する特許請求の範囲の減縮を目的とするものに該当する。
　そこで、本件補正によって補正された特許請求の範囲の請求項２に係る発明（以下、「本願補正発明」という。）が特許出願の際独立して特許を受けることができるものであるか（特許法第１７条の２第６項において準用する同法第１２６条第７項の規定に適合するか）について、以下に検討する。
３　本願補正発明の独立特許要件について
（１）本願補正発明
　本願補正発明は、平成２８年１１月２２日に提出された手続補正書により補正された特許請求の範囲の請求項２に記載された事項により特定されるものであるところ、上記１（２）の【請求項２】に示したとおりのものである。
（２）引用刊行物
　ア　刊行物１
（ア）刊行物１の記載事項
　原査定の拒絶の理由に引用された、本件出願の優先日前に頒布された刊行物である特開２００８−１２８６３号公報（以下、「刊行物１」という。）には、図面とともに次の事項が記載されている。
　ａ　「【０００７】
　上述したように、従来は画像形成を行う画像形成装置本体に対して前処理又は後処理にてシート材を加工している。特に、医療業界に使用されているレセプト紙に関しては、近年、給紙搬送されたシート材に、画像形成後、画像形成部下流に設けた穿孔装置にて穴あけ処理が行われることが一般的となっている。
【０００８】
　しかしながら、このような画像形成装置本体の前、或いは後で穴あけなどを行う装置を接続することを装置全体の大型化を招いているという課題がある。これは、例えば、穿孔処理を行う場合には、シート材を拘束した状態で、且つ位置精度を要求された状態にて処理されなければならないため、搬送装置・シート材位置規制部材等の装置が必要となるためである。
【０００９】
　本発明は上記の課題に鑑みてなされたものであり、画像形成装置本体内部、特にシート材の位置精度を必要とする画像形成部でシート材を切断することによって、装置全体の小型化、制御の簡略化、装置簡略化を図れる画像形成装置を提供することを目的とする。
【課題を解決するための手段】
【００１０】
　上記の課題を解決するため、本発明に係る画像形成装置は、シート材に対して画像を形成する画像形成手段と、シート材を画像形成手段に対向して搬送する搬送ベルトと、この搬送ベルト上でシート材を切断する切断手段とを備えている構成とした。
【００１１】
　ここで、切断手段は搬送ベルト上でシート材の外形を切断する構成とできる。
【００１２】
　この場合、切断手段は搬送ベルト上でシート材を送り方向に沿って切断する構成、切断手段は搬送ベルト上でシート材を送り方向と直交する方向に切断する構成、切断手段は搬送ベルト上でシート材を指定された形状に切断する構成とできる。また、切断手段は搬送ベルト上でシート材を切断するカッターを備えている装置である構成、切断手段は搬送ベルト上のシート材に対してレーザーを照射して切断する装置である構成、切断手段は搬送ベルト上でシート材を加熱して切断する装置である構成とできる。」（段落【０００７】ないし【００１２】）
　ｂ　「【００７５】
　次に、本発明の第５実施形態について図１７ないし図１９を参照して説明する。なお、図１７は同実施形態の説明に供する平面説明図、図１８は同じく正面説明図、図１９は図１７の左側面説明図である。
　この実施形態では、画像形成手段としての記録ヘッド２４の用紙送り方向下流側で、搬送ベルト３１の上方に、シート材を切断するシート材切断手段であるシート材切断装置２２０を備えている。なお、ここではシート材切断装置２２０としてレーザー２２１を照射してシート材Ｓを切断する装置を用いている。
【００７６】
　このシート材切断装置２２０は、図示しない走査機構によって、主走査方向及び副走査方向に移動可能に配置している。
【００７７】
　これにより、搬送ベルト３１上のシート材Ｓを指定された切断ラインＣ（既切断部Ｃ１，未切断部Ｃ２で示す。）に従って切断することができる。
【００７８】
　このように、切断手段がシート材を指定された形状に切断する装置である構成とすることによって、ユーザーが所望する形状のシート材を得ることができる。」（段落【００７５】ないし【００７８】）
（イ）上記（ア）及び図面の記載から分かること
　ａ　上記（ア）ａ及びｂ並びに図１７ないし１９の記載（特に、段落【００１０】ないし【００１２】並びに図１７及び１８の記載）によれば、刊行物１には、搬送ベルト３１が記載されていることが分かる。
　ｂ　上記（ア）ｂ並びに図１７ないし１９の記載（特に、段落【００７５】及び図１８の記載）によれば、搬送ベルト３１の上方に、レーザー２２１を照射して紙のシート材Ｓを切断するシート材切断装置２２０を備えることが分かる。
　ｃ　上記（ア）ａ及びｂ並びに図１７ないし１９の記載（特に、段落【００１０】並びに図１７及び１８の記載）によれば、搬送ベルト３１の搬送面により、搬送方向の上流側から紙のシート材Ｓがシート材切断装置２２０に対して移送され、また、シート材切断装置２２０から搬送方向の下流側に紙のシート材Ｓが移送されるから、上記ｂと合わせると、搬送ベルト３１は、レーザー２２１を照射して紙のシート材Ｓを切断するシート材切断装置２２０に紙のシート材Ｓを移送するとともにシート材切断装置２２０から紙のシート材Ｓを移送する搬送面を有することが分かる。
（ウ）引用発明
　上記（ア）及び（イ）を総合して、本願補正発明の表現に倣って整理すると、刊行物１には次の事項からなる発明（以下、「引用発明」という。）が記載されているといえる。
「レーザー２２１を照射して紙のシート材Ｓを切断するシート材切断装置２２０に紙のシート材Ｓを移送するとともにシート材切断装置２２０から紙のシート材Ｓを移送する搬送面を有する搬送ベルト３１。」
　イ　刊行物２
（ア）刊行物２の記載事項
　原査定の拒絶の理由に引用された、本件出願の優先日前に頒布された刊行物である特開平５−３１８６２３号公報（以下、「刊行物２」という。）には、図面とともに次の事項が記載されている。
　ａ　「【０００１】
【産業上の利用分野】本発明は、サック貼機（紙器製凾機）等に備えられているフィーダーベルトに一定量の水分を連続的に供給するための装置に関する。
【０００２】
【従来の技術】サック貼機等において、紙器ブランクの給紙を行なうために、ブランクシートの積層部の下方にフィーダーベルトが設けられている。フィーダーベルトの給紙面（表面）が最も下に積層されたブランクシートの下面に吸着することにより、もしくは両者間の摩擦により、フィーダーベルトとブランクシートとは一体に移動して、ブランクシートを１枚ずつ送る。このようなフィーダーベルトにおいては、ブランクシートの下面との間の吸着力もしくは摩擦力の大きさを適当に調節して紙送りが１枚ずつ確実に行なえるように、フィーダーベルトの走行経路途中において一定量の水分を含ませた角形スポンジを接触させ、フィーダーベルトの給紙面に一定の水分を持たせるようにしていた。
【０００３】
【発明が解決しようとする課題】以上のようにしてフィーダーベルトの給紙面に一定の水分をもたせる方法によると、スポンジを頻繁に取り替える必要があった。スポンジを水に浸し、フィーダーベルトに接触するように配置するのだが、そのために人手を要し、また水分量を一定に調節するために作業員の熟練を要していた。また取り替える度にサック貼機の運転を止めるわけには行かないので、高速回転中のフィーダーベルトに手が接触する等の事故の発生する危険を伴なっていた。
【０００４】よって本発明の目的は、人手を介することなく、自動的に一定量の水分を連続してフィーダーベルトに供給できるような連続給水装置を提供することにある。
【０００５】
【課題を解決するための手段】上記目的を達成するために請求項１に記載の発明は、走行経路の一部においてフィーダーベルトの給紙面の一部にその表面が接し、走行経路の一部において水中を通り、表面は水分含有層であるエンドレスベルトと、該エンドレスベルトを駆動する駆動装置とを備えてフィーダーベルトの連続給水装置を構成した。」（段落【０００１】ないし【０００５】）
　ｂ　「【０００８】請求項１に記載の発明に係るフィーダーベルトの連続給水装置においては、表面が水分含有層のエンドレスベルトは駆動装置により走行する。エンドレスベルトは走行経路途中で水中を通って水分含有層に水分を含ませ、さらに走行してサック貼機等のフィーダーベルトの給紙面の一部にその表面を接しさせることにより、水分含有層に含有されていた水分がフィーダーベルトの給紙面に供給される。また、フィーダーベルトの給紙面に付着していた汚れ、紙粉等がエンドレスベルトの水分含有層の表面に転移する。転移した汚れ、紙粉等は水中を通過する時にすすぎ落される。」（段落【０００８】）
　ｃ　「【００１１】図１は本発明に係るフィーダーベルトの連続給水装置の一実施例を示す正面図であり、図２は図１の実施例が適用できるサック貼機の給紙部の一例を示す正面図である。
【００１２】サック貼機の給紙部１においては、ブランクシートＳは給紙ガイド１１にガイドされて積層されている。積層されているブランクシートＳの前端（図視左端）は、シャッター調整ツマミ１２によって上下方向の位置調整可能なシャッター１３に接している。ブランクシートＳの後端（図視右端）は、ブランク支持ガイド１４により持ち上げられており、よってブランクシートＳの前端はシャッター１３に押し付けられて、ブランクシートＳの送りが確実かつスムーズになるようにしている。
【００１３】給紙ガイド１１の下方には、ローラ１５、１６、１７それぞれに巻回された複数本のフィーダーベルト１８が配置されている。フィーダーベルト１８は高速で駆動されて、最下に積層されているブランクシートＳの下面に表面の給紙面を吸着させて搬送し、ブランクシートＳの厚さと略同一の幅に調整されたシャッター１３の下端との間から、ブランクシートＳを１枚ずつ送る。ブランクシートＳは送りコロ１９とフィーダーベルト１８との間を通って排出される。
【００１４】フィーダーベルト１８の下方には、連続給水装置２が配置されている。連続給水装置２のエンドレスベルト２１は、その表面２１１がフィーダーベルト１８の表面１８１の一部に接して、水分を供給する。エンドレスベルト２１は多層であって、表面２１１側はスポンジ製の水分含有層２１２、裏面側はゴム製の基層２１３である。
【００１５】エンドレスベルト２１は、フィーダーベルト１８と接する部分において、フレーム２２に回動可能に取り付けられたブラケット２２１の先端のプーリ２２２に巻回されている。ブラケット２２１の姿勢は調整ツマミ２２３により調整でき、エンドレスベルト２１がフィーダーベルト１８に押し付けられる応力を適当に調節することができる。
【００１６】スプロケット２２２の下方には水が収納された水槽２３が配置されている。水槽２３には駆動ローラ２４、ガイドローラ２５、２６がそれぞれ回動可能に取り付けられている。駆動ローラ２４の軸にはプーリ２４１が固定されており、タイミングベルト２７が巻回されている。タイミングベルト２７は変速器付きの駆動モータ２８の駆動軸に取り付けられた駆動プーリ２８１に巻回されて、駆動モータ２８の駆動により回動する。
【００１７】エンドレスベルト２１は、プーリ２２２から、駆動ローラ２４とガイドローラ２５との間を通過して、水槽２３中の水の中を抜け、駆動ローラ２４とガイドローラ２６との間を通過するように巻回されている。
【００１８】このような構成によると、駆動モータ２８を駆動することによりエンドレスベルト２１は駆動され、水中で水分含有層２１２に水分が含まれる。水中から抜けたエンドレスベルト２１は駆動ローラ２４とガイドローラ２６とに挟持され、適当に絞られて水の量が調整される。そしてプーリ２２２に巻回されている部分において、水分含有層２１２の表面２１１がフィーダーベルト１８の表面１８１に接して水分が供給される。
【００１９】水分含有層２１２の表面２１１は水分を供給するとともに、フィーダーベルト１８の表面１８１に付着した汚れ・紙粉等を拭い取り、水槽２３の水中ですすぎ落すという効果をも奏する。そのため、エンドレスベルト２１の駆動方向は、矢印で図に示すように、フィーダーベルト１８の駆動方向と逆になっている。エンドレスベルト２１の駆動される速度は、プーリ２２２の位置とともに、拭い取りの効果を最大にするように、適当に定められる。また、駆動モータ２８には変速器が付いているので、エンドレスベルト２１の駆動速度を変化させることにより水分が付着する量を調整することができる。速度が速ければ、フィーダーベルト１８に時間当たり接触するエンドレスベルト２１の長さが長くなるので、より多い水分が供給され、逆に速度が遅ければ、より少ない水分が供給される。」（段落【００１１】ないし【００１９】）
　ｄ　「【００２６】以上本発明の実施例について説明したが、本発明は上記実施例に限定されるものではなく、本発明の要旨の範囲内において適宜変形実施可能であることは言うまでもない。
【００２７】例えば、図示の実施例においては水槽は汚れ落しと水分供給の兼用だったが、エンドレスベルトの走行経路に２つの別の水槽を配置して、フィーダーベルトに接してから最初に入る水槽を汚れ落し用、後に入る方を水分供給用として水の汚染を防止するようにすることもできる。また、水槽に循環装置を備え、フィルタを通して常に水の純度を保持するようにしたり、水槽には新たな水を供給し続けて古い水を溢れ出させるようにすることも可能である。」（段落【００２６】及び【００２７】）
（イ）上記（ア）及び図面の記載から分かること
　ａ　上記（ア）ａないしｃ並びに図１及び２の記載（特に、段落【００１９】及び図１の記載）によれば、刊行物２には、紙器のブランクシートＳを移送する搬送面を有するフィーダーベルト１８の表面に付着した汚れ・紙粉等を拭い取るフィーダーベルトの連続給水装置２が記載されていることが分かる。
　ｂ　上記（ア）ｃ及び図１の記載（特に、段落【００１４】ないし【００１９】及び図１の記載）によれば、フィーダーベルトの連続給水装置２が、スポンジ製の水分含有層２１２と、水分含有層２１２をフィーダーベルト１８の搬送面に回動当接状態に付勢するプーリ２２２と、を含み、それによって、水分含有層２１２がフィーダーベルト１８の搬送面を実質連続的に清掃するエンドレスベルト２１のアセンブリを備えることが分かる。
　ｃ　上記（ア）ｃ及び図１の記載（特に、段落【００１４】及び【００１８】及び図１の記載）によれば、フィーダーベルトの連続給水装置２が、水分含有層２１２に水を供給する水供給用の下位システムを備えることが分かる。
　ｄ　上記（ア）ｃ及び図１の記載（特に、段落【００１４】ないし【００１９】及び図１の記載）によれば、前記水供給用の下位システムは、水を収容するよう適合させた水槽２３を含んでおり、水分含有層２１２は近位端部分と遠位端部分とを有する連続ループであり、プーリ２２２は水分含有層２１２のループの近位端部分に配置され、水分含有層２１２のループの遠位端部分は水槽２３内に配置されることが分かる。
　ｅ　上記（ア）ｄの段落【００２７】には「また、水槽に循環装置を備え、フィルタを通して常に水の純度を保持するようにしたり、・・・中略・・・することも可能である。」と記載されているところ、循環装置が水槽２３とフィルタとの間で水を循環させるためには、水槽２３と前記フィルタとに接続され、水槽２３内の水を前記フィルタに送り、前記フィルタから水槽２３内に水を戻すための循環経路と、循環経路を介して水槽２３と前記フィルタとの間で水を循環させるポンプとを有することは明らかである。
　そうすると、前記水供給用の下位システムは、水から汚れ・紙粉等を除去するフィルタと、水槽２３と前記フィルタとに接続され、水槽２３内の水を前記フィルタに送り、前記フィルタから水槽２３内に水を戻すための循環経路と、循環経路を介して水槽２３と前記フィルタとの間で水を循環させるポンプと、を有することが分かる。
（ウ）刊行物２記載の技術
　上記（ア）及び（イ）を総合して、本願補正発明の表現に倣って整理すると、刊行物２には次の事項からなる技術（以下、「刊行物２記載の技術」という。）が記載されているといえる。
「紙器のブランクシートＳを移送する搬送面を有するフィーダーベルト１８の表面に付着した汚れ・紙粉等を拭い取るフィーダーベルトの連続給水装置２であって、
　スポンジ製の水分含有層２１２と、
　前記水分含有層２１２をフィーダーベルト１８の搬送面に回動当接状態に付勢するプーリ２２２と、を含み、それによって、前記水分含有層２１２が前記フィーダーベルト１８の搬送面を実質連続的に清掃するエンドレスベルト２１を含むアセンブリと、
　前記水分含有層２１２に水を供給する水供給用の下位システムと、を備え、
　前記水供給用の下位システムは、水を収容するよう適合させた水槽２３を含んでおり、前記水分含有層２１２は近位端部分と遠位端部分とを有する連続ループであり、前記プーリ２２２は前記水分含有層２１２のループの近位端部分に配置され、前記水分含有層２１２のループの遠位端部分は前記水槽２３内に配置され、
　前記水供給用の下位システムは、更に、
　水から汚れ・紙粉等を除去するフィルタと、
　前記水槽２３と前記フィルタとに接続され、前記水槽２３内の水を前記フィルタに送り、前記フィルタから前記水槽２３内に水を戻すための循環経路と、
　前記循環経路を介して前記水槽２３と前記フィルタとの間で水を循環させるポンプと、
　を有するフィーダーベルトの連続給水装置２。」
（３）対比
　本願補正発明と引用発明とを、その機能、構造又は技術的意義を考慮して対比すると、後者における「レーザー２２１を照射して紙のシート材Ｓを切断するシート材切断装置２２０」又は「シート材切断装置２２０」は、前者における「レーザ切断装置」に相当し、以下同様に、「紙のシート材Ｓ」は「紙製品」に、「搬送面」は「搬送面」に、「搬送ベルト３１」は「コンベヤベルト」に、それぞれ相当する。
　また、後者における「シート材切断装置２２０に紙のシート材Ｓを移送するとともにシート材切断装置２２０から紙のシート材Ｓを移送する搬送面」は、前者における「レーザ切断装置におよびレーザ切断装置から紙製品を移送する搬送面」に相当する。
　したがって、両者は、
「レーザ切断装置におよびレーザ切断装置から紙製品を移送する搬送面を有するコンベヤベルト」の点で一致し、以下の点で相違している。
［相違点］
　本願補正発明は、「コンベヤベルトを清掃するベルト清掃システムであって、
　含水材料で構成された清掃ウェブと、
　前記清掃ウェブをコンベヤベルト搬送面に回動当接状態に付勢するローラと、を含み、それによって、前記コンベヤベルト搬送面がレーザ照射領域に到達する前に、前記清掃ウェブが前記コンベヤベルト搬送面を実質連続的に清掃するローラアセンブリと、
　前記清掃ウェブに洗浄液体を供給する液体供給下位システムと、を備え、
　前記液体供給下位システムは、洗浄液体を収容するよう適合させた洗浄液体貯槽を含んでおり、前記清掃ウェブは近位端部分と遠位端部分とを有する連続ループであり、前記ローラは前記清掃ウェブループの近位端部分に配置され、前記清掃ウェブループの遠位端部分は前記洗浄液体貯槽内に配置され、
　前記液体供給下位システムは、更に、
　前記洗浄液体貯槽の外部に設けられ、洗浄液体から紙屑を除去するフィルタと、
　前記洗浄液体貯槽と前記フィルタとに接続され、前記洗浄液体貯槽内の洗浄液体を前記フィルタに送り、前記フィルタから前記洗浄液体貯槽内に洗浄液体を戻すための循環経路と、
　前記循環経路を介して前記洗浄液体貯槽と前記フィルタとの間で洗浄液体を循環させるポンプと、
　を有し、
　前記ベルト清掃システムは、更に、
　前記洗浄液体貯槽内の洗浄液体の液位を検出する液位検出器と、
　前記検出された液位が所定の液位に達した場合に、洗浄液体が前記洗浄液体貯槽に流入されるように制御する制御部と、を備える、ベルト清掃システム」であるのに対して、
　引用発明は、「搬送ベルト３１」であって、コンベヤベルトを清掃するベルト清掃システムを構成しない点（以下、「相違点」という。）。
（４）判断
　ア　本願補正発明と刊行物２記載の技術とを、その機能、構造又は技術的意義を考慮して対比する。
・後者における「紙器のブランクシートＳを移送する搬送面を有するフィーダーベルト１８」又は「フィーダーベルト１８」は前者における「コンベヤベルト」に相当し、以下同様に、「フィーダーベルトの連続給水装置２」は「ベルト清掃システム」に、「スポンジ製の水分含有層２１２」はスポンジが網状構造からなるから、「含水材料で構成された清掃ウェブ」に、「フィーダーベルト１８の搬送面」は「コンベヤベルト搬送面」に、「プーリ２２２」は「ローラ」に、「エンドレスベルト２１のアセンブリ」は「ローラアセンブリ」に、「水」は「洗浄液体」に、「水供給用の下位システム」は「液体供給下位システム」に、「水槽２３」は「洗浄液体貯槽」に、「汚れ・紙粉等」は「紙屑」に、「フィルタ」は「フィルタ」に、「循環経路」は「循環経路」に、「ポンプ」は「ポンプ」に、それぞれ相当する。
・後者における「紙器のブランクシートＳを移送する搬送面を有するフィーダーベルト１８の表面に付着した汚れ・紙粉等を拭い取る」ことは、前者における「コンベヤベルトを清掃する」ことに相当する。
　そうすると、刊行物２記載の技術は、上記相違点に係る本願補正発明の発明特定事項のうち次の事項を備えているといえる。
「コンベヤベルトを清掃するベルト清掃システムであって、
　含水材料で構成された清掃ウェブと、
　前記清掃ウェブをコンベヤベルト搬送面に回動当接状態に付勢するローラと、を含み、それによって、前記清掃ウェブが前記コンベヤベルト搬送面を実質連続的に清掃するローラアセンブリと、
　前記清掃ウェブに洗浄液体を供給する液体供給下位システムと、を備え、
　前記液体供給下位システムは、洗浄液体を収容するよう適合させた洗浄液体貯槽を含んでおり、前記清掃ウェブは近位端部分と遠位端部分とを有する連続ループであり、前記ローラは前記清掃ウェブループの近位端部分に配置され、前記清掃ウェブループの遠位端部分は前記洗浄液体貯槽内に配置され、
　前記液体供給下位システムは、更に、
　洗浄液体から紙屑を除去するフィルタと、
　前記洗浄液体貯槽と前記フィルタとに接続され、前記洗浄液体貯槽内の洗浄液体を前記フィルタに送り、前記フィルタから前記洗浄液体貯槽内に洗浄液体を戻すための循環経路と、
　前記循環経路を介して前記洗浄液体貯槽と前記フィルタとの間で洗浄液体を循環させるポンプと、
　を有するベルト清掃システム。」
　イ　ところで、引用発明が記載された刊行物１には、図３１の実施形態として、紙のシート材Ｓを移送する搬送面を有する搬送ベルト３１において、搬送ベルト３１の表面に付着する紙片ＳＰを除去する部材を設けることが示されているから、刊行物１には、紙製品を移送する搬送面を有するコンベヤベルトにおいて、コンベヤベルトを清掃する手段を設けるとの示唆（以下、「刊行物１記載の示唆１」という。）がある。
　そうすると、引用発明においてシート材切断装置２２０によりレーザー２２１を照射してシート材Ｓを切断する際に紙片ＳＰが生じることは明らかであるから、引用発明において、刊行物１記載の示唆１から、コンベヤベルトを清掃する手段として、刊行物２記載の技術を適用することは当業者が容易に想到できたことである。
　そして、刊行物２記載の技術において、フィルタの交換等を考慮して、フィルタを「洗浄液体貯槽（水槽２３）の外部に設けられ」たものとすることは、設計的事項にすぎない。
　ウ　また、刊行物１の図３１の実施形態は、紙のシート材Ｓを搬送する搬送面がパンチ装置に到達する前に搬送面を清掃することが示されているから（以下、「刊行物１記載の示唆２」という。）、「コンベヤベルト搬送面がレーザ照射領域に到達する前に」コンベヤベルト搬送面を清掃することに格別の困難性はない。
　エ　さらに、液体を収容し、液体を循環させるようにした液体貯槽において、液体貯槽内の液体の液位を検出する液位検出器と、検出された液位が所定の液位に達した場合に、液体が液体貯槽に流入されるように制御する制御部を備え、所定の液位以上に保つことは、本件出願の優先日前に周知技術（例えば、特開２００１−２７６７６９号公報（段落【００２３】、【００２６】、【００３６】及び【００３７】並びに図２及び４）や浴槽用の全自動給湯器などを参照。）であり、洗浄液体貯槽（水槽２３）の液位（水位）を所定の液位以上に保つ必要があることは「前記水分含有層２１２のループの遠位端部分は前記水槽２３内に配置され」ることから明らかであるから、周知技術を参酌して、「更に、洗浄液体貯槽内の洗浄液体の液位を検出する液位検出器と、検出された液位が所定の液位に達した場合に、洗浄液体が洗浄液体貯槽に流入されるように制御する制御部と、を備える」とすることに格別の困難性はない。
　オ　以上から、引用発明において、上記相違点に係る本願補正発明の発明特定事項とすることは、刊行物２記載の技術、刊行物１記載の示唆１及び２並びに周知技術に基づいて当業者が容易になし得たことである。
　カ　また、本願補正発明は、全体としてみても、引用発明、刊行物２記載の技術、刊行物１記載の示唆１及び２並びに周知技術から予測される以上の格別な効果を奏するものではない。
　キ　したがって、本願補正発明は、引用発明、刊行物２記載の技術、刊行物１記載の示唆１及び２並びに周知技術に基づいて当業者が容易に発明をすることができたものであるから、特許法第２９条第２項の規定により特許出願の際独立して特許を受けることができないものである。
４　むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、［補正の却下の決定の結論］のとおり決定する。
第３　本願発明について
１　本願発明
　本件補正は上記のとおり却下されたので、本件出願の請求項２に係る発明（以下、同項記載の発明を「本願発明」という。）は、平成２７年９月１４日に提出された手続補正書により補正された特許請求の範囲の請求項２に記載された事項により特定されるものであるところ、前記第２［理由］１（１）の【請求項２】に示したとおりのものである。
２　刊行物
　原査定の拒絶の理由に引用された刊行物１及びその記載事項、並びに引用発明は、前記第２［理由］３（２）アに記載したとおりであり、原査定の拒絶の理由に引用された刊行物２及びその記載事項、並びに刊行物２記載の技術は、前記第２［理由］３（２）イに記載したとおりであり、さらに刊行物１記載の示唆１及び２並びに周知技術は、前記第２［理由］３（４）に記載したとおりである。
３　対比・判断
　本願発明は、前記第２［理由］３で検討した本願補正発明から「ローラアセンブリ」における「前記清掃ウェブが前記コンベヤベルト搬送面を実質連続的に清掃する」動作について、「前記コンベヤベルト搬送面がレーザ照射領域に到達する前に」との発明特定事項を省くとともに、「液体供給下位システム」について、「前記液体供給下位システムは、更に、
　前記洗浄液体貯槽の外部に設けられ、洗浄液体から紙屑を除去するフィルタと、
　前記洗浄液体貯槽と前記フィルタとに接続され、前記洗浄液体貯槽内の洗浄液体を前記フィルタに送り、前記フィルタから前記洗浄液体貯槽内に洗浄液体を戻すための循環経路と、
　前記循環経路を介して前記洗浄液体貯槽と前記フィルタとの間で洗浄液体を循環させるポンプと、
　を有し」との発明特定事項を省いたものに相当する。
　そうすると、本願発明の発明特定事項を全て含む本願補正発明が、前記第２［理由］３に記載したとおり、引用発明、刊行物２記載の技術、刊行物１記載の示唆１及び２並びに周知技術に基づいて、当業者が容易に発明をすることができたものであるから、本願発明も、同様の理由により、引用発明、刊行物２記載の技術、刊行物１記載の示唆１及び周知技術に基づいて、当業者が容易に発明をすることができたものであり、特許法第２９条第２項の規定により特許を受けることができない。
４　むすび
　以上のとおり、本願発明は、特許法第２９条第２項の規定により特許を受けることができないから、本件出願の他の請求項に係る発明について検討するまでもなく、本件出願は拒絶すべきものである。
　よって、結論のとおり審決する。